(57)【要約】【課題】  大量の情報を記載して表示するラベルであって表記情報の重要度ないし確認の頻度、情報の格付け等に応じて区分けして表記し、両記載事項の確認が適時実行し得る二層重畳ラベルを提供する。【解決手段】  裏面に粘着剤が塗布され表面に文字・記号・図形等を表記することができる第１のラベル素材１と、該第１のラベル素材の表面に対して所要の文字・記号・図形等を表記した後に１辺の縁部を除く表面に貼付するための粘着剤が塗布された透明特殊フィルム４と、前記第１のラベル表面の透明フィルムのない一端縁部３に強力に被着し、前記透明特殊フィルム表面に対して被着及び剥離が可能な第２のラベル素材であってその表面に所要の文字・記号・図形等を表記可能な第２のラベル素材２と、からなる二層重畳ラベルであり、そのまま目視可能な前記第２のラベル表面の表記面に加えて該第２のラベル素材を捲り上げることにより適時確認可能な表記面が前記第１のラベル素材の表面に形成される。【選択図】  図１
2007206296.tif 000002
【特許請求の範囲】
【請求項１】
裏面に粘着剤が塗布されていて表面に文字・記号・図形等を表記することができる第１のラベル素材と、該第１のラベル素材の表面に対して所要の文字・記号・図形等を表記した後に１辺の縁部を除く表面に貼付するための粘着剤が塗布された透明特殊フィルムと、前記第１のラベル表面の透明フィルムで覆われていない１辺の縁部に強力に被着し、前記透明特殊フィルム表面に対して接着及び剥離が可能である前記第１のラベル素材とほぼ同寸法の第２のラベル素材であってその表面に所要の文字・記号・図形等を表記可能な第２のラベル素材と、からなり、そのまま目視可能な前記第２のラベル素材の表記面に加えて該第２のラベル素材を捲り上げることにより適時確認可能な表記面が前記第１のラベル素材の表面に形成されること、を特徴とする二層重畳ラベル。
【請求項２】
前記第１のラベル素材の表面印刷部に貼付する透明特殊フィルムは、ポリエチレンテレフタレートフィルム（ＰＥＴ）の裏面に粘着材が塗布され、その表面にシリコーンコンパウンド処理が施されたものであり、前記第２のラベル素材の裏面に塗布された粘着剤の粘着力を調節する機能を有すること、を特徴とする請求項１に記載の二層重畳ラベル。
【発明の詳細な説明】
【技術分野】
【０００１】
本発明は、製品性能、製品経歴、内容成分、使用方法、使用上の注意事項、使用上の経過時間等に関する文字・記号・図形等の諸情報を表記して製品その他物体の被着面に貼付するための二層重畳ラベルに関する。
【背景技術】
【０００２】
各種市販薬品類、化粧品等の容器類、嗜好品等の小形商品類に対してはそれぞれにおける成分、効能、使用法、使用上の注意点等多くの使用者等に告知しなければならない事項が存在する。特に化粧品類にあっては使用者に対して選択の便宜や安全性確保の目的で「全成分表示」が義務付けられている。例えば口紅や香水のような小形容器に充填して販売されるものであっても、表示すべき成分は２０種類にも及び、さらに使用法・使用上の留意点などを含めると、仮に小さな文字サイズを使用したとしても容器表面に貼付する通常のラベルには到底記述しきれない。
【０００３】
このような事情を考慮して、特許文献１は十分な製品データ、使用上の留意点、正しい使用法等の、提供者側からユーザーに伝える必要のある情報を、表裏両面に印刷可能な両面印刷ラベルが開示されている。このように形成された両面印刷ラベルは、表面に表記しきれない情報、あるいは副次的情報を裏面に表記し、その表記面上に粘着剤を塗布して、常時は容器類表面に一端縁部を強粘着性粘着剤で、その他部分を弱粘性粘着剤により貼付しておき、必要に応じて弱粘着剤塗布部分を容器類壁面から捲り上げて裏面の表記事項を確認するものである。この場合、裏面の表記は表面側よりも読み取り難いことが多く、さらに表記面上に塗布されている弱粘着性粘着剤部分の変色や汚れの付着等により判読が次第に困難になることがあり、好ましくない。さらに他の用途、必ずしも小面積である必要は無いものの、情報の必要度合いにより表面表記が好ましいものと、特殊な立場の担当者が確認できればよい事項の表記とが混在するためである。
【０００４】
また、使用期間が数年単位の長期にわたるような機器や装置類、例えば環境保護や資材の有効利用の観点から使用終了後のリサイクルが義務付けられている空気調和装置（エアコン）、冷蔵庫、テレビ受像機等の保守・点検等に関する管理ラベル、事務所・工場・教室等における各種備品類の管理等に使用される備品管理ラベル等においても、種々の情報が必要となるケースが増大している。例えば、表面には当該機器・装置類のユーザーも常時確認が必要である事項や使用上の注意事項を表記し、それよりも利用頻度の低い事項、例えば保守管理に関する基本データ類や留意事項、修理履歴等のように維持ないし保守管理担当者等にとって必要となる事項に関する表記等については、通常はあえて表面に掲示するまでも無いものも多い。このようなケースにおいても、上記従来技術にかかる両面印刷ラベルは使用可能であるが、情報表記面積も豊富でより使い勝手の良い表示ラベルが求められている。
【特許文献１】特開２００２−１４９０６７号公報
【発明の開示】
【発明が解決しようとする課題】
【０００５】
本発明は、大量の情報を表記し得るラベルであって記載情報の重要度ないし確認の頻度、情報の格付け等に応じて区分けして表記し、両表記事項の確認が適時実行し得る二層重畳ラベルを提供することを課題とする。
【課題を解決するための手段】
【０００６】
請求項1に記載の発明は、裏面１ｂに粘着剤が塗布されていて表面１ｆに文字・記号・図形等を表記することができる第１のラベル素材１と、該第１のラベル素材の表面１ｆに対して所要の文字・記号・図形等を表記した後に１辺の縁部３を除く表面に貼付するための粘着剤が塗布された透明特殊フィルム４と、前記第１のラベル表面の透明フィルムで覆われていない１辺の縁部３に強力に被着し、前記透明特殊フィルム表面に対して接着及び剥離が可能である前記第１のラベル素材とほぼ同寸法の第２のラベル素材であってその表面２ｆに所要の文字・記号・図形等を表記可能な第２のラベル素材２と、からなり、そのまま目視可能な前記第２のラベル素材の表記面に加えて該第２のラベル素材を捲り上げることにより、適時確認可能な表記面が前記第１のラベル素材の表面に形成される二層重畳ラベルであることを特徴とする。
【０００７】
請求項２に記載の発明は、前記第１のラベル素材１の表記面上に貼付する透明特殊フィルム４が、ポリエチレンテレフタレート（ＰＥＴ）フィルムの裏面に粘着材が塗布され、その表面にシリコーンコンパウンド処理が施されており、前記第２のラベル素材２の裏面２ｂに塗布された粘着剤の粘着力を調節する機能を有する二層重畳ラベルであることを特徴とする。
【発明の効果】
【０００８】
本発明に係る二層重畳ラベルは、被着対象に対して貼付するための粘着剤が裏面に塗布され、その表面には所要事項が表記可能であって当該印刷面を被覆するための透明特殊フィルムが１辺の縁部を除いて貼付される第１のラベル素材と、その表面には所要事項が表記される第２のラベル素材とから成り、この第２のラベル素材の裏面には粘着材が一面に塗布されていて第１のラベル素材表面の透明フィルムにより被覆されていない１辺縁部において強粘着性をもって被着され、前記透明フィルムの貼付されている面は適時剥離・接着可能なように形成されている。使用状態においてそのまま観察し得る第２のラベル素材の表面には常時掲示する内容が表記されており、ユーザーおよび管理者等の別無く目視確認可能である。
【０００９】
これに対して、被着対象に対して直接貼付されている第１のラベル素材の表面には、重畳して貼付された透明フィルムを介して第２のラベル素材の裏面が被着されており、第２のラベル素材を剥離して捲り上げることにより第１のラベル素材の表面の表記事項は確認可能となる。このような用途において、第１のラベル素材の印刷の施された表面に貼付された透明特殊フィルムは、裏面の粘着剤が透明度の高い物質からなるものとすることにより表記内容が容易に確認可能である。また、この透明フィルムの表面側にはシリコーンコンパウンド処理が施されているため、第２のラベル素材裏面の粘着剤層との被着ならびに捲り上げ動作を繰返し行うことができる。
【００１０】
その結果、第２のラベル素材の表面にはユーザー・管理者等の別無く了知させるべき主要事項が表記され、第１のラベル素材の表面には限定された事項、例えば詳細な成分表示、保守・点検等において必要となるデータや留意事項、その他副次的事項などを了知せしめるための表記として利用可能である。このように構成された本発明に係る二層重畳ラベルは、化粧品や医薬品等の容器、家電製品、日用品等、事務機器等に貼付して一般的特性や使用上の留意点等を最表面側である第２のラベル素材の表面に表記しておく。
【００１１】
また、この第２のラベル素材を捲った際に見ることのできる第１のラベル素材の表面にはさらに詳細な成分表示、詳細な取り扱い法、より高度な利用法、廃棄時の留意点、等のように重要な内容ではあるものの、通常の使用状態では必ずしも必須とはいえない事項を表記しておく。このような第１のラベル素材に表記された内容は、第２のラベル素材を捲ることにより適時確認することができる。その結果、広い範囲での特性表示ラベル、備品・装備品等の物品管理ラベル、家電製品・車両・備品類等の廃棄に伴うリサイクル管理ラベル、レンタル品・リース品・貸与品等の管理ラベル等として様々な分野において広く使用することができる。
【発明を実施するための最良の形態】
【００１２】
以下、添付図を参照しつつ本発明に係る二層重畳ラベルの典型的な実施例について開示する。図１は、本発明に係る二層重畳ラベルの構成例を示す斜視図であり、図示していない例えば家電製品等の被粘着対象へ貼付するためにその裏面に粘着剤の塗布された第１のラベル素材１があり、その右上方向に位置する１辺の縁部３において強粘着剤により第２のラベル素材２の対応する縁部が被着せしめられている。第１のラベル素材１の表面１ｆには文字・記号・図形等が表記可能であり、このように表記されたその上面には１辺の縁部領域３を除く部分に透明フィルム４が被着されている。第２のラベル素材２の裏面２ｂには粘着剤が塗布されており、その表面２ｆには文字・記号・図形等が印刷ないし書き込みにより表記可能であるように構成される。
【００１３】
図１における二層重畳ラベルの第２のラベル素材２の表面２ｆには、ユーザー・管理者等の別無く了知させるべき主要事項を表記することができ、第１のラベル素材１の表面１ｆには限定された事項、例えば詳細な成分表示、保守・点検等において必要となるデータや留意事項、その他副次的事項などを表記することができる。なお、第１のラベル素材１の表面には予め所要事項を表記した後に透明特殊フィルム４を貼付するものである。
【００１４】
ラベル素材１の表面にはラベル製造に合わせて印刷等を行ってから透明特殊フィルムを貼付するのが一般的であるが、この面の全体または一部を空白として剥離紙によって覆っておき、現場の事情に合わせて記載しまたは予め用意されたシール等を選択して年月日、所有部門名、管理責任者名等を貼付した後に透明特殊フィルムで覆うようにしてもよい。
【００１５】
第２のラベル素材２の表面２ｆも予め所定形式で印刷しておくことができることはもとより、必要に応じて追加記載やシール貼付を行うことも可能であり、必要に応じて汚損や他物との接触により記載が読み難くなる可能性もあることから、透明保護フィルムを貼付するようにしてもよい。また、表面２ｆの当初の記載面に直接、または記載面に貼付されることがある透明保護フィルムの表面に日付、チェックマーク、その他所要事項を記載することも適宜実施可能である。
【００１６】
図２は、図1に示した二層重畳ラベルの素材を分離した構成を示すものである。各素材１、２は極めて薄い素材、例えばプラスチックフィルム等が使用されるが、説明の便宜上その厚さは誇張表示となっている。第１のラベル素材１の本体部分は、ＰＥＴ（ポリエチレンテレフタレート）その他の熱可塑性プラスチック製フィルムで、裏面１ｂには長期にわたり強力な粘着効果を発揮する粘着剤が塗布されており、被着対象物に貼付される以前は剥離紙５で覆われ、他物との不所望な被着が生じないように配慮されている。
【００１７】
第１のラベル素材１の印刷面を覆うように貼付される透明特殊フィルム４は、第１のラベル素材１の表面の１辺（右端側）縁部３を除く印刷・記載面上に重ねて貼付されるもので、この透明特殊フィルム４の下面４ｂは強力な粘着効果を発揮する粘着剤が塗布されている。なお、この第１のラベル素材１の表面１ｆには、第２のラベル素材２の表面２ｆの主たる記載に対して、副次的事項を記載して第２のラベル素材２の表面２ｆにおける主たる表記を補完するような内容とすることができる。この実施例において使用した透明特殊フィルムは、ＰＥＴフィルムの片面に強力な粘着力を発揮する粘着剤を塗布し、他面にはシリコーンコンパウンド処理を施したもので、シリコーンＰＥＴ透明＃２５としてゼネラルタック（株）から入手することができる。
【００１８】
図２における第２のラベル素材２の裏面２ｂには長期にわたって強力な粘着力を示す粘着剤が塗布されており、前記第１のラベル素材１の一辺の縁部３に対しては強力に被着するが、透明特殊フィルム４の表面には予めシリコーンコンパウンドが塗布されているため、弱い粘着力をもって被着しており、必要に応じて随時捲り上げて第１のラベル素材１の表面１ｆにおける記載等されている事項を確認することができる。このように、第１のラベル素材１の裏面１ｂには被着物に接着するための粘着剤層が形成されていることから、使用以前においては剥離紙５によって覆われている。
【００１９】
なお、第２のラベル素材２の裏面２ｂに塗布する粘着剤は長期にわたり粘着性を発揮する材料を使用すべきことは当然であるが、塵埃や油脂分等が付着すると粘着力を大幅に減殺させてしまうため、第２のラベル素材の表面２ｆの適宜箇所に、取り扱い上の留意点を付記しておくことが望ましい。
【００２０】
第２のラベル素材２の表面２ｆは、印刷・記述などによる表記が可能な面で、主たる表記内容として、例えば特性表示、重要な留意事項、管理対象機器・装置名、設置施設名等の既定事項とそれぞれの記入枠等を含む表を印刷しておき、使用時に管理責任者名、耐用年数、保障期間、点検修理記録等々の用途に応じた所要事項を、適宜記入することもできる。
【００２１】
図３は、本発明に係る二層重畳ラベルの各素材を一体化して、透明特殊フィルムで覆われた第１のラベル素材１の表面と第２のラベル素材２の裏面とが被着している状態を示す側面図である。第１のラベル素材１の裏面１ｂには強力な粘着剤が塗布されているため、被着対象に貼付されるまで剥離紙５によって保護されている。第１のラベル素材１の表面１ｆには所要事項が印刷または記載され、その表面は、本図では右端にあたる一辺の縁部３を除く部分が透明特殊フィルム４によって被覆されている。
【００２２】
第２のラベル素材２の裏面２ｂには全面に粘着剤が塗布されている。そのため、第１のラベル素材１表面上の透明フィルム４に覆われていない一辺の縁部３においては、第２のラベル素材２の裏面に塗布された強力な粘着剤により確実に被着されている。しかし、第１のラベル素材１の表面を覆っている透明特殊フィルム４の表面はシリコーンコンパウンド処理が施されており、粘着力が大幅に減殺される。そのため、必要に応じて第２のラベル素材２を捲り上げることができ、第１のラベル素材１の表面１ｆに記載された内容を容易に確認することができ、確認後第２のラベル素材２の裏面２ｂを元通り被着せしめることができる。このような動作は、必要に応じて繰り返し実行可能である。
【産業上の利用可能性】
【００２３】
本発明に係る二層重畳ラベルは、貼付箇所の狭小な容器類でありながら多数の表示項目や開示内容が含まれる商品類の特性や使用法等を的確かつ正確に表示するために使用することができる。この場合、貼り合せた状態で目に入る第２のラベル素材２の表面２ｆには主要特性、主原料、ユーザーに対する留意事項等の主たる掲示事項を表記する。そして、常時確認するまでの必要は無いが法定ないしメーカー規格等で表記が必須であるかまたは好ましい事項などについては第１のラベル素材１の表面１ｆに記載しておくと都合がよい。
【００２４】
また、家電製品や工場内設置機器・設備等において、月次点検や日常点検等のチェックのため使用頻度の高い項目については外側（第２のラベル素材）の表面に記載し、それよりも頻度が低い事項については内側（第１のラベル素材）の記載面を利用するような使用形態にも好適である。
【００２５】
家電製品などのリサイクル法の対象となる機器類における保守記録などを第２のラベル素材２の表面に表記し、所定年数経過後に廃棄を考慮する際の問題点や留意事項等は第１のラベル素材１の表面１ｆに表記するようにすることができる。これらは単なる例示であり、本発明に係る二層重畳ラベルによれば、自動車等の定期点検、臨時整備、車検等の管理、レンタル品・リース品・貸与品等の管理、エレベータ、エスカレータ、クレーン、ホイスト等の人員や取り扱いの安全を確保するために行われる法定点検その他点検記録管理、ボイラ設備その他使用期間中の管理データ等に関する現場における管理ラベルとなり、その都度帳簿やパソコン等に頼ることなく直ぐに確認することが可能となり、保守点検が容易となる上、的確な安全確保が可能となる。
【図面の簡単な説明】
【００２６】
【図１】本発明に係る二層重畳ラベルの構成を示す斜視図である。
【図２】本発明に係る二層重畳ラベルの構成要素を分離した状態を示す側面図である。
【図３】本発明に係る二層重畳ラベルの構成要素を一体化した状態を示す側面図である。
【符号の説明】
【００２７】
１    第１のラベル素材
１ｂ  第１のラベル素材の裏面
１ｆ  第１のラベル素材の表面
２    第２のラベル素材
２ｂ  第２のラベル素材の裏面
２ｆ  第２のラベル素材の表面
３    １辺の縁部（縁部領域）
４    透明特殊フィルム
５    剥離紙
【図１】
2007206296.tif 000003
【図２】
2007206296.tif 000004
【図３】
2007206296.tif 000005